(57)【要約】      （修正有）【課題】屈曲形状のリム導水路内の流路幅が局所的に小さくなることを抑制することにより洗浄水の流れの乱れを抑制して、リム吐水口から吐水される洗浄水の飛び散りや異音の発生を抑制することができる水洗大便器を提供する。【解決手段】ボウルの前方側領域の左右の何れか一方の側のリムに洗浄水が通水するリム導水路及びリム吐水口を備え、リム導水路は、外側リム導水路と、屈曲リム導水路と、内側リム導水路と、を備えており、屈曲リム導水路の屈曲前流路３４において、その内側面３０の第１接平面Ｔ１と第２接平面Ｔ２とが互いに交差する平面視の第１交差角度θ１は、屈曲前流路の外側面３２の第３接平面Ｔ３と第４接平面Ｔ４とが互いに交差する平面視の第２交差角度φ１よりも大きい。【選択図】図６Ａ
2019108767.tif 000002
【特許請求の範囲】
【請求項１】
洗浄水源から供給される洗浄水によって洗浄されて汚物を排出する水洗大便器であって、
上縁に形成されるリムと、汚物を受ける汚物受け面と、この汚物受け面と上記リムとの間に形成される棚と、を備えたボウルと、
このボウルの下方に接続され汚物を排出する排水路と、
上記リムに設けられて上記棚に洗浄水を吐水して旋回流を形成するリム吐水部と、
上記洗浄水源から供給される洗浄水を上記リム吐水部に供給する導水路と、を有し、
上記ボウルは、その前後方向に二等分する左右方向に延びる中心軸線に対して前方側である前方側領域と後方側である後方側領域と、を備え、
上記リム吐水部は、上記ボウルの前方側領域の左右の何れか一方の側の上記リムに上記導水路から供給された洗浄水が通水するリム導水路と、このリム導水路の下流端に設けられて洗浄水を後方に向けて吐水するリム吐水口と、を備え、
上記リム導水路は、その入口から上記リムの内部を前方に向かって延びる外側リム導水路と、この外側リム導水路の下流側に形成されて内側に屈曲する屈曲リム導水路と、この屈曲リム導水路の下流側に形成されて後方に向かって上記リム吐水口まで延びる内側リム導水路と、を備えており、
上記屈曲リム導水路は、その下方領域内の内側面の前方側先端部を含み且つ上記下方領域内の外側面に対して直交する流路断面であって、この流路断面を境界として流路方向が折り返される折り返し境界断面と、この折り返し境界断面の上流側に形成される屈曲前流路と、上記折り返し境界断面の下流側に形成される屈曲後流路と、を備え、上記屈曲前流路は、下側領域と、この下側領域の上方に形成されて上記下側領域の流路断面よりも縦長の流路断面を備えた上側領域と、を備え、
上記屈曲前流路の上側領域内の少なくとも一部の水平断面において、
上記屈曲前流路の内側面は、その平面視の曲率半径が最小となる曲面を含む第１曲面と、この第１曲面の曲面形状が開始する第１始端と、上記第１曲面の曲面形状が終了する第１終端と、上記第１始端に接する第１接平面と、上記第１終端に接する第２接平面と、を備え、
上記屈曲前流路の外側面は、その平面視の曲率半径が最小となる曲面を含む第２曲面と、この第２曲面の曲面形状が開始する第２始端と、上記第１曲面の曲面形状が終了する第２終端と、上記第２始端に接する第３接平面と、上記第２終端に接する第４接平面と、を備え、
上記第１接平面と上記第２接平面とが互いに交差する平面視の第１交差角度は、上記第３接平面と上記第４接平面とが互いに交差する平面視の第２交差角度よりも大きいことを特徴とする水洗大便器。
【請求項２】
上記平面視の第１交差角度は、上記屈曲前流路が下方から上方に向かう程大きくなる請求項１記載の水洗大便器。
【請求項３】
上記屈曲前流路の上側領域内の内側面は、上記屈曲前流路の上流端よりも下流側のガイド始端位置からその下流側のガイド終端位置まで洗浄水をガイドするガイド面を備えており、このガイド面は、上記第１曲面を含む請求項１又は２に記載の水洗大便器。
【請求項４】
上記ガイド面は、上記第１始端が上記ガイド始端位置となる上記第１曲面と、この第１曲面の第１終端からその下流側の上記ガイド終端位置まで平面視でテーパ状に形成されているテーパ面と、を備えている請求項３記載の水洗大便器。
【請求項５】
上記テーパ面の平面視における上記第１曲面の第１終端から上記ガイド終端位置までの距離は、上記テーパ面が下方から上方に位置する程小さくなる請求項４記載の水洗大便器。
【請求項６】
上記ガイド面は、平面視において上記ガイド始端位置に位置する上記第１始端から上記ガイド終端位置に位置する上記第１終端まで洗浄水をガイドする湾曲状の曲面を形成している上記第１曲面である請求項３記載の水洗大便器。
【請求項７】
上記平面視の第１交差角度は、上記ガイド面が下方から上方に位置する程大きくなる請求項６記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
まず、図９は、従来の水洗大便器の便器本体の概略平面図である。図９に示すように、従来から、洗浄水源から供給される洗浄水によって洗浄されて汚物を排出する水洗大便器２００として、例えば、便器本体２０２のボウル２０４を前後方向に二等分する中心軸線Ｘよりも前方側の領域Ｆで左右の一方側のリム２０６において、屈曲形状（例えば、Ｕターン形状）の領域Ｕを備えたリム導水路２０８が設けられたものが知られている（例えば、特許文献１参照）。
このようなリム導水路２０８は、ボウル２０４の前端を経由することなく、リム２０６の内部で前方に延びる外側リム導水路２１０と、この外側リム導水路２１０の下流側に形成されて内側に向けてＵターン形状に屈曲する屈曲リム導水路２１２と、この屈曲リム導水路２１２の下流側に形成されて後方のリム吐水口２１４まで延びる内側リム導水路２１６と、を備えており、リム吐水口２１４から後方に向かってリム吐水が行われるようになっている。
【先行技術文献】
【特許文献】
【０００３】
【特許文献１】特開２０１７−１６０６７１号公報
【発明の概要】
【発明が解決しようとする課題】
【０００４】
しかしながら、上述した従来の水洗大便器２００のリム導水路２０８において、特に、Ｕターン形状の屈曲リム導水路２１２については、ボウル２０４の上縁のリム２０６の内部の限られたスペース内でＵターン形状に折り返すように設計されているため、屈曲リム導水路２１２内の流路幅が他の流路に比べて狭くなっている。
また、上述した従来の水洗大便器２００のリム導水路２０８においては、その流路幅が局所的に狭くなる程、この狭められた領域に洗浄水が流れ込めない状態となって、リム吐水口２１４まで導かれてしまうおそれもある。
さらに、上述した従来の水洗大便器２００では、特に、外側リム導水路２１０から屈曲リム導水路２１２を経て内側リム導水路２１６へと差し掛かるＵターン形状の領域Ｕ（図９参照）においては、特に、流路断面が縦長形状となる上側領域内において、局所的に流路が狭くなる箇所があり、このような局所的に狭くなった箇所に洗浄水が流れ込まなかった場合には、流路が急縮小した後に、拡大することになり、洗浄水の流れに乱れが生じ易くなる。これにより、乱れた流れの洗浄水がリム吐水口２１４から吐水されて周囲に飛び散るおそれがあるという問題もある。
また、特に、陶器製の水洗大便器２００のＵターン形状のリム導水路２０８内においては、屈曲リム導水路２１２内の流路幅が製造誤差等により局所的に縮小することがある。このため、屈曲リム導水路２１２内に洗浄水が流れ込まない領域が生じ易くなるため、洗浄水の流れが乱れることにより、乱れた流れの洗浄水がリム吐水口２１４から吐水されて周囲に飛び散るおそれがあるばかりでなく、洗浄水が流れ込めない領域に空気が溜まり易くなる。
したがって、屈曲する領域Ｕを通過する洗浄水の乱れた流れが空気溜まりを巻き込み、不快な異音等も発生し易くなるという問題もある。
【０００５】
そこで、本発明は、上述した従来技術の問題を解決するためになされたものであり、屈曲形状のリム導水路内の流路幅が局所的に小さくなることを抑制することにより洗浄水の流れの乱れを抑制して、リム吐水口から吐水される洗浄水の飛び散りや異音の発生を抑制することができる水洗大便器を提供することを目的としている。
【課題を解決するための手段】
【０００６】
上述した目的を達成するために、本発明は、洗浄水源から供給される洗浄水によって洗浄されて汚物を排出する水洗大便器であって、上縁に形成されるリムと、汚物を受ける汚物受け面と、この汚物受け面と上記リムとの間に形成される棚と、を備えたボウルと、このボウルの下方に接続され汚物を排出する排水路と、上記リムに設けられて上記棚に洗浄水を吐水して旋回流を形成するリム吐水部と、上記洗浄水源から供給される洗浄水を上記リム吐水部に供給する導水路と、を有し、上記ボウルは、その前後方向に二等分する左右方向に延びる中心軸線に対して前方側である前方側領域と後方側である後方側領域と、を備え、上記リム吐水部は、上記ボウルの前方側領域の左右の何れか一方の側の上記リムに上記導水路から供給された洗浄水が通水するリム導水路と、このリム導水路の下流端に設けられて洗浄水を後方に向けて吐水するリム吐水口と、を備え、上記リム導水路は、その入口から上記リムの内部を前方に向かって延びる外側リム導水路と、この外側リム導水路の下流側に形成されて内側に屈曲する屈曲リム導水路と、この屈曲リム導水路の下流側に形成されて後方に向かって上記リム吐水口まで延びる内側リム導水路と、を備えており、
上記屈曲リム導水路は、その下方領域内の内側面の前方側先端部を含み且つ上記下方領域内の外側面に対して直交する流路断面であって、この流路断面を境界として流路方向が折り返される折り返し境界断面と、この折り返し境界断面の上流側に形成される屈曲前流路と、上記折り返し境界断面の下流側に形成される屈曲後流路と、を備え、上記屈曲前流路は、下側領域と、この下側領域の上方に形成されて上記下側領域の流路断面よりも縦長の流路断面を備えた上側領域と、を備え、上記屈曲前流路の上側領域内の少なくとも一部の水平断面において、上記屈曲前流路の内側面は、その平面視の曲率半径が最小となる曲面を含む第１曲面と、この第１曲面の曲面形状が開始する第１始端と、上記第１曲面の曲面形状が終了する第１終端と、上記第１始端に接する第１接平面と、上記第１終端に接する第２接平面と、を備え、上記屈曲前流路の外側面は、その平面視の曲率半径が最小となる曲面を含む第２曲面と、この第２曲面の曲面形状が開始する第２始端と、上記第１曲面の曲面形状が終了する第２終端と、上記第２始端に接する第３接平面と、上記第２終端に接する第４接平面と、を備え、上記第１接平面と上記第２接平面とが互いに交差する平面視の第１交差角度は、上記第３接平面と上記第４接平面とが互いに交差する平面視の第２交差角度よりも大きいことを特徴としている。
このように構成された本発明においては、屈曲リム導水路の屈曲前流路の上側領域内の少なくとも一部の水平断面において、屈曲前流路の内側面の平面視の曲率半径が最小となる曲面を含む第１曲面における第１接平面と第２接平面とが互いに交差する平面視の第１交差角度が、屈曲前流路の外側面の平面視の曲率半径が最小となる曲面を含む第２曲面における第３接平面と第４接平面とが互いに交差する平面視の第２交差角度よりも大きいため、屈曲リム導水路の屈曲前流路の上側領域内における流路断面の横幅が局所的に小さくなってしまうことを抑制することができる。
したがって、屈曲リム導水路の屈曲前流路の上側領域内において洗浄水が流れ易くなるため、屈曲リム導水路の上流端から下流端までの流路全域において、洗浄水が流れない部分が発生することを抑制することができ、洗浄水の流れが乱れることを抑制することができる。その結果、リム吐水口から吐水される洗浄水の飛び散りを抑制することができる。
また、屈曲前流路に流入した洗浄水が、屈曲前流路の下流端付近（折り返し境界断面の直前）の領域において、屈曲前流路の外側面に一旦衝突した後に、下流側にスムーズに安定してガイドされるスペースが十分に確保される。これにより、屈曲リム導水路の屈曲前流路の流路断面の横幅が局所的に小さくなっていても、屈曲前流路内に流入した洗浄水が屈曲後流路に流れ込み易くなるため、屈曲リム導水路内全域においても洗浄水が流れ易くなる。よって、屈曲リム導水路内全域において、洗浄水の流れが乱れることを抑制することができる。
さらに、屈曲リム導水路の屈曲前流路の上側領域内に流入した洗浄水の一部は、屈曲前流路の下流端付近（折り返し境界断面の直前）の領域を通過する前に、屈曲前流路の外側面に一旦衝突した後に上昇する流れを形成する。これにより、屈曲リム導水路の屈曲前流路内の上方に溜まり易い空気は、屈曲前流路内を上昇する洗浄水により、効率良く攪拌される。
したがって、屈曲リム導水路の屈曲前流路の上側領域内に溜まり易い空気について、屈曲前流路の上側領域内を通過する洗浄水が効率よく粉砕して下流側に追い出すことができるため、空気の巻き込みによる異音の発生を抑制することもできる。
【０００７】
本発明において、好ましくは、上記平面視の第１交差角度は、上記屈曲前流路が下方から上方に向かう程大きくなる。
このように構成された本発明とは異なる一般的な水洗大便器では、屈曲リム導水路内を流れる洗浄水は、重力の作用により、屈曲リム導水路内の下方領域になる程流れ易く、上方領域になる程流れ難くなる。
これに対し、本発明によれば、屈曲前流路の上側領域内の内側面の平面視の第１曲面における第１接平面と第２接平面とが互いに交差する平面視の第１交差角度について、屈曲前流路が下方から上方に向かう程大きくしたことにより、屈曲前流路の上側領域内の上方領域にも洗浄水が十分に流れ込み易くなる。
したがって、屈曲リム導水路の屈曲前流路の上側領域内の洗浄水を屈曲後流路に向けてよりスムーズに安定してガイドすることができるため、リム吐水口から吐水される洗浄水の飛び散りをより効果的に抑制することができる。
また、屈曲リム導水路の屈曲前流路の上側領域内に溜まり易い空気について、通過する洗浄水によりさらに効率よく攪拌して粉砕させた後、下流側に追い出すことができるため、空気の巻き込みによる異音の発生をより効果的に抑制することもできる。
【０００８】
本発明において、好ましくは、上記屈曲前流路の上側領域内の内側面は、上記屈曲前流路の上流端よりも下流側のガイド始端位置からその下流側のガイド終端位置まで洗浄水をガイドするガイド面を備えており、このガイド面は、上記第１曲面を含む。
このように構成された本発明においては、屈曲リム導水路の屈曲前流路の上側領域の洗浄水について、第１曲面を含むガイド面に沿って屈曲後流路に向けてよりスムーズに安定してガイドすることができる。
したがって、屈曲リム導水路の屈曲前流路の上側領域内に溜まり易い空気について、ガイド面に沿って流れる洗浄水が、さらにより効率よく攪拌して粉砕させた後、下流側に追い出すことができるため、空気の巻き込みによる異音の発生をより効果的に抑制することもできる。
【０００９】
本発明において、好ましくは、上記ガイド面は、上記第１始端が上記ガイド始端位置となる上記第１曲面と、この第１曲面の第１終端からその下流側の上記ガイド終端位置まで平面視でテーパ状に形成されているテーパ面と、を備えている。
このように構成された本発明においては、屈曲リム導水路の屈曲前流路の上側領域の洗浄水について、ガイド面である第１曲面及びテーパ面に沿って屈曲後流路に向けてさらによりスムーズに安定してガイドすることができる。
したがって、屈曲リム導水路の屈曲前流路の上側領域内に溜まり易い空気について、ガイド面（テーパ面）に沿って流れる洗浄水が、さらにより効率よく攪拌して粉砕させた後、下流側に追い出すことができるため、空気の巻き込みによる異音の発生をさらにより効果的に抑制することもできる。
【００１０】
本発明において、好ましくは、上記テーパ面の平面視における上記第１曲面の第１終端から上記ガイド終端位置までの距離は、上記テーパ面が下方から上方に位置する程小さくなる。
このように構成された本発明においては、屈曲リム導水路の屈曲前流路の内側面のガイド面のテーパ面について、その平面視におけるテーパ面の始端（第１曲面の第１終端）からガイド終端位置までの距離が、テーパ面が下方から上方に位置する程小さくなるため、屈曲リム導水路の屈曲前流路の上側領域内の洗浄水について、第１曲面及びテーパ面に沿って屈曲後流路に向けてさらによりスムーズに安定してガイドすることができる。
したがって、屈曲リム導水路の屈曲前流路の上側領域内に溜まり易い空気について、ガイド面（テーパ面）に沿って流れる洗浄水が、さらにより効率よく攪拌して粉砕させた後、下流側に追い出すことができるため、空気の巻き込みによる異音の発生をさらにより効果的に抑制することもできる。
【００１１】
本発明において、好ましくは、上記ガイド面は、平面視において上記ガイド始端位置に位置する上記第１始端から上記ガイド終端位置に位置する上記第１終端まで洗浄水をガイドする湾曲状の曲面を形成している上記第１曲面である。
このように構成された本発明においては、屈曲リム導水路の屈曲前流路の上側領域内の洗浄水について、ガイド始端位置に位置する第１曲面の第１始端からガイド終端位置する第１曲面の第１終端までの湾曲状の曲面に沿って屈曲後流路に向けてさらによりスムーズに安定してガイドすることができる。
したがって、屈曲リム導水路の屈曲前流路の上側領域内に溜まり易い空気について、ガイド面（湾曲状の曲面）に沿って流れる洗浄水が、さらにより効率よく攪拌して粉砕させた後、下流側に追い出すことができるため、空気の巻き込みによる異音の発生をさらにより効果的に抑制することもできる。
【００１２】
本発明において、好ましくは、上記平面視の第１交差角度は、上記ガイド面が下方から上方に位置する程大きくなる。
このように構成された本発明においては、屈曲前流路の内側面の平面視の曲率半径が最小となる曲面を含む第１曲面における第１接平面と第２接平面とが互いに交差する平面視の第１交差角度が、ガイド面が下方から上方に位置する程大きくなるため、屈曲リム導水路の屈曲前流路の上側領域内の洗浄水について、湾曲状の曲面である第１曲面に沿って屈曲後流路に向けてさらによりスムーズに安定してガイドすることができる。
したがって、屈曲リム導水路の屈曲前流路の上側領域内に溜まり易い空気について、ガイド面（湾曲状の第１曲面）に沿って流れる洗浄水が、さらにより効率よく攪拌して粉砕させた後、下流側に追い出すことができるため、空気の巻き込みによる異音の発生をさらにより効果的に抑制することもできる。
【発明の効果】
【００１３】
本発明の水洗大便器によれば、屈曲形状のリム導水路内の流路幅が局所的に小さくなることを抑制することにより洗浄水の流れの乱れを抑制して、リム吐水口から吐水される洗浄水の飛び散りや異音の発生を抑制することができる。
【図面の簡単な説明】
【００１４】
【図１】本発明の第１実施形態による水洗大便器の便器本体の概略中央側面断面図である。
【図２】本発明の第１実施形態による水洗大便器の便器本体の概略平面図である。
【図３】図２のＩＩＩ−ＩＩＩ線に沿った断面図であり、リムの部分を拡大した断面図である。
【図４】図２のＩＶ−ＩＶ線に沿った屈曲リム導水路の側面断面図である。
【図５】図１のＶ−Ｖ線に沿った断面図であり、リム導水路内の外側リム導水路から屈曲リム導水路及び内側リム導水路を経てリム吐水口までの区間の底面部分を拡大した図である。
【図５Ａ】図１のＶＡ−ＶＡ線に沿った外側リム導水路内及び屈曲リム導水路内のそれぞれの上側領域の部分拡大平面断面図である。
【図５Ｂ】図１のＶＢ−ＶＢ線に沿った外側リム導水路内及び屈曲リム導水路内のそれぞれの上側領域の部分拡大平面断面図である。
【図５Ｃ】図１のＶＣ−ＶＣ線に沿った外側リム導水路内及び屈曲リム導水路内のそれぞれの上側領域の部分拡大平面断面図である。
【図６Ａ】図５ＡのＡ部拡大図である。
【図６Ｂ】図５ＢのＢ部拡大図である。
【図６Ｃ】図５ＣのＣ部拡大図である。
【図７Ａ】本発明の第２実施形態による水洗大便器の便器本体の外側リム導水路内及び屈曲リム導水路内のそれぞれの上側領域の図５Ａと同様な部分拡大平面断面図である。
【図７Ｂ】本発明の第２実施形態による水洗大便器の便器本体の外側リム導水路内及び屈曲リム導水路内のそれぞれの上側領域の図５Ｂと同様な部分拡大平面断面図である。
【図７Ｃ】本発明の第２実施形態による水洗大便器の便器本体の外側リム導水路内及び屈曲リム導水路内のそれぞれの上側領域の図５Ｃと同様な部分拡大平面断面図である。
【図８Ａ】図７ＡのＡ部拡大図である。
【図８Ｂ】図７ＢのＢ部拡大図である。
【図８Ｃ】図７ＣのＣ部拡大図である。
【図９】従来の水洗大便器の便器本体の概略平面図である。
【発明を実施するための形態】
【００１５】
つぎに、図１〜図８Ｃを参照して、本発明の第１実施形態による水洗大便器について説明する。
まず、図１は、本発明の第１実施形態による水洗大便器の便器本体の概略中央側面断面図である。また、図２は、本発明の第１実施形態による水洗大便器の便器本体の概略平面図である。
図１及び図２に示すように、本発明の第１実施形態による水洗大便器１は、陶器製の便器本体２を備えている。
ここで、図１及び図２に示す便器本体２においては、その上面に設けられている便座（図示せず）や便蓋（図示せず）等が省略されている。
また、図１及び図２に示す便器本体２においては、その上面の便座（図示せず）及び便蓋（図示せず）の後方側には、使用者の局部を洗浄する衛生洗浄機能装置（図示せず）や便器本体２への給水機能等を備えた給水系機能装置（図示せず）等が設けられている。しかしながら、これらの衛生洗浄機能装置（図示せず）や給水系機能装置（図示せず）の構造については、従来の装置の構造と同様であるため、説明を省略する。
【００１６】
つぎに、図１及び図２に示すように、便器本体２は、ボウル形状のボウル面を形成するボウル４を備えている。このボウル４は、上縁に形成されるリム６と、汚物を受ける汚物受け面８と、この汚物受け面８とリム６との間に形成される棚１０と、を備えている。
また、図１及び図２に示すように、便器本体２は、ボウル４の下方に入口１２ａが接続されて、ボウル４内の汚物を排出する排水路である排水トラップ管路１２を備えている。
【００１７】
ここで、図１及び図２に示すように、本発明の第１実施形態による水洗大便器１においては、図２に示す便器本体２のボウル４の平面視において、ボウル４を前後方向に二等分するように水平左右方向に延びる中心軸線を「Ｘ」で示す。また、ボウル４を左右方向に二等分するように水平前後方向に延びる中心軸線を「Ｙ」で示す。さらに、ボウル４の中心Ｏを通る鉛直方向に延びる中心軸線を「Ｚ」で示す。
また、図２に示すように、水洗大便器１の前後左右の方向については、「前」、「後」、「左」、「右」でそれぞれ示している。
そして、図１及び図２に示すように、水洗大便器１のボウル４における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル４における中心Ｏ、水平前後方向の中心軸線Ｙに対して、前方から見て左側、右側のそれぞれの領域について、「左側領域Ｌ」、「右側領域Ｒ」とそれぞれ定義している。
【００１８】
つぎに、図２に示すように、ボウル４は、その前方側領域Ｆの左右の一方の側のリム６、すなわち、便器本体２の前方から見てボウル４の前方側領域Ｆ且つ右側領域Ｒのリム６の内部には、リム吐水部の一部であるリム導水路１４（詳細は後述する）が形成されている。
また、図２に示すように、リム導水路１４は、その前方側に屈曲形状（図２に示す平面視で概ねＵターン形状）の領域Ｕを備えており、リム導水路１４の下流端には、リム吐水部の一部であるリム吐水口１６が形成されている。
さらに、図３に示すように、リム導水路１４の上流側は、洗浄水源である水道（図示せず）から供給される洗浄水をリム導水路１４に供給する導水路である導水管１８に接続されている。この導水管１８の上流側は、洗浄水源である水道（図示せず）に直結されており、この水道の給水圧力を利用して、導水管１８からリム導水路１４内に供給された洗浄水は、リム導水路１４内で前方へ導かれ、その後、内側且つ後方側に屈曲し、下流側のリム吐水口１６まで導かれるようになっている。
そして、リム吐水口１６に導かれた洗浄水は、後方に向けて吐水（リム吐水）され、リム吐水口１６の下流側近傍に形成される通水路２０を経てボウル４内を旋回することにより、ボウル４内に旋回流が形成されるようになっている。
なお、リム６に設けられて洗浄水を吐水してボウル４内に旋回流を形成する吐水口は、リム吐水口１６のみである。
【００１９】
なお、本実施形態の水洗大便器１においては、リム吐水部であるリム導水路１４及びリム吐水口１６について、便器本体２の前方から見てボウル４の前方側領域Ｆ内の右側のリム６の内部に配置した形態について説明するが、このような形態に限定されず、リム吐水口を便器本体２の前方から見てボウル４の前方側領域Ｆ内の左側のリム６に配置して後方に向けてリム吐水を行うようにしてもよい。
要するに、リム吐水部であるリム導水路及びリム吐水口ついては、ボウル４の前方側領域Ｆ内の左右の何れか一方の側のリム６に配置して後方に向けてリム吐水を行うような形態であればよい。
【００２０】
さらに、図１及び図２に示すように、ボウル４の底部には、排水トラップ管路１２の入口１２ａに差し向けられるようにジェット吐水口２２が形成されている。便器本体２の給水系機能装置（図示せず）からジェット吐水口２２に供給された洗浄水は、排水トラップ管路１２の入口１２ａに向けて吐水（ジェット吐水）されるようになっている。
なお、本実施形態による水洗大便器１においては、リム吐水口１６によるリム吐水について水道の給水圧力を利用して行い、ジェット吐水口２２によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口２２によるジェット吐水について省略した形態であってもよい。
【００２１】
つぎに、図１〜図６Ｃを参照して、本発明の第１実施形態による水洗大便器１のリム導水路１４の詳細について説明する。
まず、図２に示すように、リム導水路１４は、導水管１８に接続される入口１４ａからリム６の内部を前方に向かって延びる外側リム導水路２４と、この外側リム導水路２４の下流側に形成されて内側に屈曲する屈曲リム導水路２６と、この屈曲リム導水路２６の下流側に形成されて後方に向かってリム吐水口１６まで延びる内側リム導水路２８と、を備えている。
つぎに、図３は、図２のＩＩＩ−ＩＩＩ線に沿った断面図であり、リムの部分を拡大した断面図である。また、図４は、図２のＩＶ−ＩＶ線に沿った屈曲リム導水路の側面断面図である。さらに、図５は、図１のＶ−Ｖ線に沿った断面図であり、リム導水路内の外側リム導水路から屈曲リム導水路及び内側リム導水路を経てリム吐水口までの区間の底面部分を拡大した図である。
【００２２】
まず、図３及び図５に示すように、外側リム導水路２４は、ボウル４の一方側（右側領域Ｒ）のリム６の内部において、ボウル４の前端のリム６を経由することなく、前方に向かって延びている。
また、図３に示すように、外側リム導水路２４の流路断面Ｓ１は、下側領域Ａ１及び上側領域Ａ２をそれぞれ備えており、図３に示す立面視において、流路断面Ｓ１の上側領域Ａ２が下側領域Ａ１よりも縦長となる流路断面を形成している。
【００２３】
つぎに、図３〜図５に示すように、屈曲リム導水路２６は、上流端位置Ｐ１の上流端流路断面Ｓ２と、下流端位置Ｐ２の下流端流路断面Ｓ３と、上流端位置Ｐ１と下流端位置Ｐ２との間の位置Ｐ３の流路断面Ｓ４と、を備えている。
また、図５に示すように、外側リム導水路２４の下流端位置（屈曲リム導水路２６の上流端位置）Ｐ１及びその流路断面Ｓ２は、外側リム導水路２４の前端に位置しており、図５の平面視の屈曲リム導水路２６の下側領域Ａ１内において、ほぼ半円弧形状に形成される屈曲リム導水路２６の内側面３０の半円弧の始端位置となっている。
すなわち、屈曲リム導水路２６の上流端流路断面Ｓ２は、立面視において、図３に示す外側リム導水路２４の流路断面Ｓ１とほぼ同一形状となっている。
さらに、図４及び図５に示すように、屈曲リム導水路２６の流路断面Ｓ４は、屈曲リム導水路２６の下側領域Ａ１内の内側面３０における前方側の先端位置Ｐ３に位置する先端部３０ａを含み、かつ、下側領域Ａ１内の外側面３２に対して直交している。そして、屈曲リム導水路２６の流路断面Ｓ４は、その前後で流路方向が折り返される境界面（以下「折り返し境界断面Ｓ４」）となっている。
【００２４】
また、図４に示すように、屈曲リム導水路２６の流路断面Ｓ４は、下側領域Ａ１及び上側領域Ａ２（Ａ３〜Ａ５）をそれぞれ備えており、図４に示す立面視において、流路断面Ｓ４の上側領域Ａ２が下側領域Ａ１よりも縦長となる流路断面を形成している。
【００２５】
つぎに、図５に示すように、屈曲リム導水路２６は、その詳細については後述するが、折り返し境界断面Ｓ４に対して上流側に形成される屈曲前流路３４と、折り返し境界断面Ｓ４に対して下流側に形成される屈曲後流路３６と、を備えている。
また、図５に示すように、屈曲前流路３４の前端且つ外側付近の外側面３２には、外側角部３２ａが設けられている。この外側面３２の外側角部３２ａは、屈曲リム導水路２６の外側面３２の周方向全域の内において、平面視で最小の曲率半径ρ１を備えている。
さらに、図５に示すように、屈曲前流路３４の内側面３０の平面視の最小曲率半径ρ２は、屈曲前流路３４の外側面３２の平面視の最小曲率半径ρ１よりも大きく設定されている（ρ２＞ρ１）。
【００２６】
つぎに、図３〜図５に示すように、内側リム導水路２の上流端位置（屈曲リム導水路２６の下流端位置）Ｐ２及びその流路断面Ｓ３は、内側リム導水路２８の前端に位置しており、図５の平面視の屈曲リム導水路２６の下方領域内において、ほぼ半円弧形状に形成される屈曲リム導水路２６の内側面３０の半円弧の終端位置となっている。
また、図３に示すように、内側リム導水路２８の流路断面Ｓ５は、屈曲後流路３６の下流端の流路断面Ｓ３とほぼ同一の断面形状となっている。
さらに、内側リム導水路２８の流路断面Ｓ５及びリム吐水口１６の最大高さ寸法Ｈ５（図３参照）は、外側リム導水路２４の流路断面Ｓ１の最大高さ寸法Ｈ１（図３参照）及び屈曲リム導水路２６の折り返し境界断面Ｓ４の最大高さ寸法Ｈ４（図４参照）よりも小さく設定されている。
【００２７】
つぎに、図５Ａは、図１のＶＡ−ＶＡ線に沿った外側リム導水路内及び屈曲リム導水路内のそれぞれの上側領域の部分拡大平面断面図である。また、図５Ｂは、図１のＶＢ−ＶＢ線に沿った外側リム導水路内及び屈曲リム導水路内のそれぞれの上側領域の部分拡大平面断面図である。さらに、図５Ｃは、図１のＶＣ−ＶＣ線に沿った外側リム導水路内及び屈曲リム導水路内のそれぞれの上側領域の部分拡大平面断面図である。
また、図６Ａは、図５ＡのＡ部拡大図である。さらに、図６Ｂは、図５ＢのＢ部拡大図である。また、図６Ｃは、図５ＣのＣ部拡大図である。
なお、図５Ａ〜図５Ｃにおいては、本実施形態の水洗大便器１のリム導水路１４の外側リム導水路２４及び屈曲リム導水路２６内のそれぞれの上側領域Ａ３〜Ａ５の流路を実線で示している。
また、図５Ａ〜図５Ｃにおいては、本実施形態の水洗大便器１の外側リム導水路２４及び屈曲リム導水路２６内のそれぞれの上側領域Ａ３〜Ａ５の流路と下側領域Ａ１の流路との比較のため、図５に示す本実施形態の水洗大便器１の外側リム導水路内２４、屈曲リム導水路内２６のそれぞれの下側領域Ａ１、及び、内側リム導水路２８について鎖線等の想像線で示している。
さらに、図５Ａ〜図６Ｃにおいては、本実施形態の水洗大便器１の外側リム導水路２４及び屈曲リム導水路２６内のそれぞれの上側領域Ａ３〜Ａ５の流路と同一高さ位置における従来の屈曲リム導水路２１２の屈曲前流路２３４やその内側面２３４に関する外形について鎖線等の想像線で示している。
【００２８】
図５Ａ及び図６Ａに示すように、図５に示す屈曲前流路３４の下側領域Ａ１よりも上方の上側領域Ａ３の水平断面において、屈曲前流路３４の内側面３０は、その平面視の曲率半径ρ３が最小となる曲面を含む第１曲面Ｃ１を備えている。
つぎに、図６Ａに示すように、第１曲面Ｃ１は、その上流端に位置し、かつ、第１曲面Ｃ１の曲面形状が開始する第１始端Ｐ４を備えている。さらに、第１曲面Ｃ１は、その下流端に位置し、かつ、第１曲面Ｃ１の曲面形状が終了する第１終端Ｐ５を備えている。
また、図６Ａに示す平面視において、第１曲面Ｃ１は、第１始端Ｐ４における曲面に接する第１接平面Ｔ１と、第１終端Ｐ５における曲面に接する第２接平面Ｔ２と、を備えている。
同様に、図５Ａ及び図６Ａに示すように、屈曲前流路３４の上側領域Ａ３内の外側面３２は、その平面視の曲率半径ρ４が最小となる曲面を含む第２曲面Ｃ２を備えている。
また、図６Ａに示すように、第２曲面Ｃ２は、その上流端に位置し、かつ、第２曲面Ｃ２の曲面形状が開始する第２始端Ｐ６を備えている。さらに、第２曲面Ｃ２は、その下流端に位置し、かつ、第２曲面Ｃ２の曲面形状が終了する第２終端Ｐ６を備えている。
また、図６Ａに示す平面視において、第２曲面Ｃ２は、第２始端Ｐ６における曲面に接する第３接平面Ｔ３と、第２終端Ｐ７における曲面に接する第４接平面Ｔ４と、を備えている。
さらに、図６Ａに示す平面視において、第１接平面Ｔ１と第２接平面Ｔ２とが互いに交差する第１交差角度θ１は、第３接平面Ｔ３と第４接平面Ｔ４とが互いに交差する第２交差角度φ１よりも大きく設定されている（θ１＞φ１）。
また、図５Ａに示すように、屈曲リム導水路２６の上側領域Ａ３の下流端については、屈曲前流路３４の上側領域Ａ３の下流端から折り返し境界断面Ｓ４を超えて屈曲後流路３６の上側領域Ａ３まで延びている。
【００２９】
同様に、図５Ｂ及び図６Ｂに示すように、図５Ａ及び図６Ａに示す屈曲前流路３４の上側領域Ａ３よりも上方の上側領域Ａ４の水平断面において、屈曲前流路３４の内側面３０は、その平面視の曲率半径ρ５が最小となる曲面を含む第１曲面Ｃ３を備えている。
つぎに、図６Ｂに示すように、第１曲面Ｃ３は、その上流端に位置し、かつ、第１曲面Ｃ３の曲面形状が開始する第１始端Ｐ８を備えており、さらに、第１曲面Ｃ３は、その下流端に位置し、かつ、第１曲面Ｃ３の曲面形状が終了する第１終端Ｐ９を備えている。
また、図６Ｂに示す平面視において、第１曲面Ｃ３は、第１始端Ｐ８における曲面に接する第１接平面Ｔ５と、第１終端Ｐ９における曲面に接する第２接平面Ｔ６と、を備えている。
同様に、図５Ｂ及び図６Ｂに示すように、屈曲前流路３４の上側領域Ａ４内の外側面３２は、その平面視の曲率半径ρ６が最小となる曲面を含む第２曲面Ｃ４を備えている。
また、図６Ｂに示すように、第２曲面Ｃ４は、その上流端に位置し、かつ、第２曲面Ｃ４の曲面形状が開始する第２始端Ｐ１０を備えている。さらに、第２曲面Ｃ４は、その下流端に位置し、かつ、第２曲面Ｃ４の曲面形状が終了する第２終端Ｐ１１を備えている。
また、図６Ｂに示す平面視において、第２曲面Ｃ４は、第２始端Ｐ１０における曲面に接する第３接平面Ｔ７と、第２終端Ｐ１１における曲面に接する第４接平面Ｔ８と、を備えている。
さらに、図６Ｂに示す平面視において、第１接平面Ｔ５と第２接平面Ｔ６とが互いに交差する第１交差角度θ２は、第３接平面Ｔ７と第４接平面Ｔ８とが互いに交差する第２交差角度φ２よりも大きく設定されている（θ２＞φ２）。
また、図５Ｂに示すように、屈曲リム導水路２６の上側領域Ａ４の下流端については、屈曲前流路３４の上側領域Ａ４の下流端から折り返し境界断面Ｓ４を僅かに超えて屈曲後流路３６の上側領域Ａ４まで延びている。
しかしながら、屈曲リム導水路２６の上側領域Ａ４の下流端は、図５Ａに示す屈曲リム導水路２６の上側領域Ａ４の下流端に比べて、上流側に位置している。
【００３０】
さらに、同様に、図５Ｃ及び図６Ｃに示すように、図５Ｂ及び図６Ｂに示す屈曲前流路３４の上側領域Ａ４よりも上方の上側領域Ａ５の水平断面において、屈曲前流路３４の内側面３０は、その平面視の曲率半径ρ７が最小となる曲面を含む第１曲面Ｃ５を備えている。
つぎに、図６Ｃに示すように、第１曲面Ｃ５は、その上流端に位置し、かつ、第１曲面Ｃ５の曲面形状が開始する第１始端Ｐ１２を備えており、さらに、第１曲面Ｃ５は、その下流端に位置し、かつ、第１曲面Ｃ５の曲面形状が終了する第１終端Ｐ１３を備えている。
また、図６Ｃに示す平面視において、第１曲面Ｃ５は、第１始端Ｐ１２における曲面に接する第１接平面Ｔ９と、第１終端Ｐ１３における曲面に接する第２接平面Ｔ１０と、を備えている。
同様に、図５Ｃ及び図６Ｃに示すように、屈曲前流路３４の上側領域Ａ５内の外側面３２は、その平面視の曲率半径ρ８が最小となる曲面を含む第２曲面Ｃ６を備えている。
また、図６Ｃに示すように、第２曲面Ｃ６は、その上流端に位置し、かつ、第２曲面Ｃ６の曲面形状が開始する第２始端Ｐ１４を備えており、さらに、第２曲面Ｃ６は、その下流端に位置し、かつ、第２曲面Ｃ６の曲面形状が終了する第２終端Ｐ１５を備えている。
また、図６Ｃに示す平面視において、第２曲面Ｃ６は、第２始端Ｐ１４における曲面に接する第３接平面Ｔ１１と、第２終端Ｐ１５における曲面に接する第４接平面Ｔ１２と、を備えている。
さらに、図６Ｃに示す平面視において、第１接平面Ｔ９と第２接平面Ｔ１０とが互いに交差する第１交差角度θ３は、第３接平面Ｔ１１と第４接平面Ｔ１２とが互いに交差する第２交差角度φ３よりも大きく設定されている（θ３＞φ３）。
しかしながら、屈曲リム導水路２６の上側領域Ａ５の下流端については、折り返し境界断面Ｓ４を超えることなく、屈曲前流路３４内の前端付近に留まっている。
【００３１】
つぎに、図６Ａ〜図６Ｃに示すように、屈曲リム導水路２６の屈曲前流路３４の上側領域Ａ３〜Ａ５内における内側面３０の各平面視の第１交差角度θ１，θ２，θ３は、屈曲前流路３４の上側領域Ａ２内の流路が下方から上方に向かう程大きくなるように設定されている（θ１＜θ２＜θ３））。
【００３２】
つぎに、図５に示すように、屈曲リム導水路２６内の下側領域Ａ１に形成される屈曲後流路３６の前端且つ内側付近の外側面３２には、内側角部３２ｂが設けられている。この外側面３２の内側角部３２ｂは、屈曲後流路３６の外側面３２の周方向全域の内で最小の曲率半径ρ９を備えている。
また、図５に示すように、屈曲リム導水路２６の屈曲後流路３６における内側面３０の平面視の最小曲率半径ρ１０は、屈曲後流路３６の外側面３２の内側角部３２ｂの平面視の最小曲率半径ρ９よりも大きく設定されている（ρ１０＞ρ９）。
【００３３】
つぎに、図５に示すように、屈曲リム導水路２６の下側領域Ａ１に形成される屈曲後流路３６の外側面３２の外側角部３２ａにおける平面視の最小曲率半径ρ１は、屈曲後流路３６の外側面３２の内側角部３２ｂにおける平面視の最小曲率半径ρ９よりも小さく設定されている。
【００３４】
つぎに、図６Ａ〜図６Ｃに示すように、屈曲リム導水路２６の屈曲前流路３４の各上側領域Ａ３，Ａ４，Ａ５における内側面３０は、洗浄水を下流側にガイドするガイド面Ｇ１，Ｇ２，Ｇ３を備えており、このガイド面Ｇ１，Ｇ２，Ｇ３は、第１曲面Ｃ１，Ｃ３，Ｃ５と、その下流側のテーパ面Ｔ１３，Ｔ１４，Ｔ１５と、を含む。
また、各ガイド面Ｇ１，Ｇ２，Ｇ３の始端位置（ガイド始端位置）は、屈曲前流路３４の上流端位置Ｐ１よりも下流側に位置しており、第１曲面Ｃ１，Ｃ３，Ｃ５の各第１始端Ｐ４，Ｐ８，Ｐ１２の位置に相当している。
さらに、図６Ａ〜図６Ｃに示すように、各テーパ面Ｔ１３，Ｔ１４，Ｔ１５は、第１曲面Ｃ１，Ｃ３，Ｃ５の各第１終端Ｐ５，Ｐ９，Ｐ１３を始端とし、この始端からその下流側の各ガイド終端位置Ｐ１６〜Ｐ１８まで直線状に延びて、平面視の流路がテーパ状に形成されている。
ここで、図５Ａ〜図５Ｃに示す屈曲リム導水路２６（屈曲前流路３２）の上流端流路断面Ｓ２から屈曲前流路３２の上側領域Ａ３〜Ａ５内の各ガイド始端位置Ｐ４，Ｐ８，Ｐ１２の流路断面Ｓ６までの距離ｄ１については、ほぼ一定の距離に設定されている。
【００３５】
つぎに、図６Ａ〜図６Ｃに示すように、各テーパ面Ｔ１３，Ｔ１４，Ｔ１５の平面視において、その始端位置Ｐ５，Ｐ９，Ｐ１３（第１曲面Ｃ１，Ｃ３，Ｃ５の各第１終端Ｐ５，Ｐ９，Ｐ１３）から各終端位置Ｐ１６〜Ｐ１８（ガイド面Ｇ１，Ｇ２，Ｇ３のガイド終端位置）までの各距離ｄ２，ｄ３，ｄ４は、各テーパ面Ｔ１３，Ｔ１４，Ｔ１５が下方から上方に位置する程小さくなるように設定されている（ｄ２＞ｄ３＞ｄ４）。
【００３６】
つぎに、図５Ａ〜図５Ｃに示すように、各テーパ面Ｔ１３，Ｔ１４，Ｔ１５が、平面視において、屈曲リム導水路２６の折り返し境界断面Ｓ４と成す角度をテーパ角度α，β，γとそれぞれ定義すると、各テーパ角度α，β，γは、各テーパ面Ｔ１３，Ｔ１４，Ｔ１５が下方から上方に位置する程小さくなるように設定されている（α＞β＞γ）。
【００３７】
また、図５Ａ〜図６Ｃに示すように、屈曲リム導水路２６の屈曲前流路３４の各上側領域Ａ３，Ａ４，Ａ５における内側面３０の各テーパ面Ｔ１３，Ｔ１４，Ｔ１５は、従来の水洗大便器２００の屈曲リム導水路２１２の屈曲前流路２３４の内側面２３０よりも後方に位置している。その分、図５Ａ〜図６Ｃに示すように、屈曲リム導水路２６の屈曲前流路３４の各テーパ面Ｔ１３，Ｔ１４，Ｔ１５の近傍の流路の容積Ｖ１が、従来の屈曲リム導水路２１２の屈曲前流路２３４のものよりも拡大されるように設定されている。
【００３８】
つぎに、上述した本発明の第１実施形態による水洗大便器１における作用について説明する。
まず、本発明の第１実施形態による水洗大便器１によれば、図５Ａ〜図６Ｃに示す屈曲リム導水路２６の屈曲前流路３４の上側領域Ａ２（Ａ３〜Ａ５）内の水平断面において、屈曲前流路３４の内側面３０の平面視の曲率半径ρ３，ρ５，ρ７が最小となる曲面を含む第１曲面Ｃ１，Ｃ３，Ｃ５における第１接平面Ｔ１，Ｔ５，Ｔ９と第２接平面Ｔ２，Ｔ６，Ｔ１０とが互いに交差する平面視の第１交差角度θ１，θ２，θ３が、屈曲前流路３４の外側面３２の平面視の曲率半径ρ４，ρ６，ρ８が最小となる曲面を含む第２曲面Ｃ２，Ｃ４，Ｃ６における第３接平面Ｔ３，Ｔ７，Ｔ１１と第４接平面Ｔ４，Ｔ８，Ｔ１２とが互いに交差する平面視の第２交差角度φ１，φ２，φ３よりも大きく設定されている。このため、屈曲リム導水路２６の屈曲前流路３４の上側領域Ａ２（Ａ３〜Ａ５）内における流路断面の横幅が局所的に小さくなってしまうことを抑制することができる。
したがって、屈曲リム導水路２６の屈曲前流路３４の上側領域Ａ２（Ａ３〜Ａ５）内において洗浄水が流れ易くなる。よって、屈曲リム導水路２６の上流端から下流端までの流路全域において、洗浄水が流れない部分が発生することを抑制することができ、洗浄水の流れが乱れることを抑制することができる。その結果、リム吐水口１６から吐水される洗浄水の飛び散りを抑制することができる。
また、図５〜図６Ｃに示すように、屈曲前流路３４に流入した洗浄水が、屈曲前流路３４の下流端付近（折り返し境界断面Ｓ４の直前）の領域において、屈曲前流路３４の外側面３２の外側角部３２ａに一旦衝突した後に、下流側にスムーズに安定してガイドされるスペースが十分に確保される。これにより、屈曲リム導水路２６の屈曲前流路３４の流路断面の横幅が局所的に小さくなっていても、屈曲前流路３４内に流入した洗浄水が屈曲後流路３６に流れ込み易くなるため、屈曲リム導水路２６内全域においても洗浄水が流れ易くなる。よって、屈曲リム導水路２６内全域において、洗浄水の流れが乱れることを抑制することができる。
さらに、図５〜図６Ｃに示すように、屈曲リム導水路２６の屈曲前流路３４の上側領域Ａ２（Ａ３〜Ａ５）内に流入した洗浄水の一部は、屈曲前流路３４の下流端付近（折り返し境界断面Ｓ４の直前）の領域を通過する前に、屈曲前流路３４の外側面３２の外側角部３２ａに一旦衝突した後に上昇する流れを形成する。これにより、屈曲リム導水路２６の屈曲前流路３４内の上方に溜まり易い空気は、屈曲前流路３４内を上昇する洗浄水により、効率良く攪拌される。
したがって、屈曲リム導水路２６の屈曲前流路３４の上側領域Ａ２（Ａ３〜Ａ５）内に溜まり易い空気について、屈曲前流路３４の上側領域Ａ２（Ａ３〜Ａ５）内を通過する洗浄水が効率よく粉砕して下流側に追い出すことができるため、空気の巻き込みによる異音の発生を抑制することもできる。
【００３９】
本実施形態による水洗大便器１とは異なる一般的な水洗大便器においては、屈曲リム導水路内を流れる洗浄水は、重力の作用により、屈曲リム導水路内の下方領域になる程流れ易く、上方領域になる程流れ難くなる。
これに対し、本実施形態による水洗大便器１によれば、屈曲前流路３４の上側領域Ａ２（Ａ３〜Ａ）内の内側面３０の平面視の第１曲面Ｃ１，Ｃ３，Ｃ５における第１接平面Ｔ１，Ｔ５，Ｔ９と第２接平面Ｔ２，Ｔ６，Ｔ１０とが互いに交差する平面視の第１交差角度θ１，θ２，θ３について、屈曲前流路３４が下方から上方に向かう程大きくしたことにより、図５Ａ〜図６Ｃに示す屈曲前流路３４内の各上側領域Ａ３〜Ａ５にも洗浄水が十分に流れ込み易くなる。
したがって、屈曲リム導水路２６の屈曲前流路３４の上側領域Ａ２（Ａ３〜Ａ５）内の洗浄水を屈曲後流路３６に向けてよりスムーズに安定してガイドすることができるため、リム吐水口１６から吐水される洗浄水の飛び散りをより効果的に抑制することができる。
また、屈曲リム導水路２６の屈曲前流路３４の上側領域Ａ２（Ａ３〜Ａ５）内に溜まり易い空気について、通過する洗浄水によりさらに効率よく攪拌して粉砕させた後、下流側に追い出すことができるため、空気の巻き込みによる異音の発生をより効果的に抑制することもできる。
【００４０】
さらに、本実施形態による水洗大便器１によれば、図５Ａ〜図６Ｃに示すように、屈曲リム導水路２６の屈曲前流路３４の上側領域Ａ２（Ａ３〜Ａ５）内の内側面３０が、屈曲前流路３４の上流端位置Ｐ１よりも下流側の各ガイド始端位置Ｐ４，Ｐ８，Ｐ１２からその下流側の各ガイド終端位置Ｐ１６〜Ｐ１８まで洗浄水をガイドするガイド面Ｇ１，Ｇ２，Ｇ３を備えており、このガイド面Ｇ１，Ｇ２，Ｇ３が第１曲面Ｃ１，Ｃ３，Ｃ５を含んでいる。これにより、屈曲リム導水路２６の屈曲前流路３４の各上側領域Ａ３〜Ａ５の洗浄水について、第１曲面Ｃ１，Ｃ３，Ｃ５を含むガイド面Ｇ１，Ｇ２，Ｇ３に沿って屈曲後流路３６に向けてよりスムーズに安定してガイドすることができる。
したがって、屈曲リム導水路２６の屈曲前流路３４の各上側領域Ａ３〜Ａ５内に溜まり易い空気について、各ガイド面Ｇ１，Ｇ２，Ｇ３に沿って流れる洗浄水が、さらにより効率よく攪拌して粉砕させた後、下流側に追い出すことができるため、空気の巻き込みによる異音の発生をより効果的に抑制することもできる。
【００４１】
また、本実施形態による水洗大便器１によれば、図６Ａ〜図６Ｃに示すように、屈曲リム導水路２６の屈曲前流路３４の内側面３０の各ガイド面Ｇ１，Ｇ２，Ｇ３が、第１曲面Ｃ１，Ｃ３，Ｃ５と、この第１曲面Ｃ１，Ｃ３，Ｃ５の第１終端Ｐ５，Ｐ９，Ｐ１３からその下流側のガイド終端位置Ｐ１６〜Ｐ１８まで平面視でテーパ状に形成されているテーパ面Ｔ１３〜Ｔ１５を備えている。このため、屈曲リム導水路２６の屈曲前流路３４の各上側領域Ａ３〜Ａ５の洗浄水について、ガイド面Ｇ１，Ｇ２，Ｇ３である第１曲面Ｃ１，Ｃ３，Ｃ５及びテーパ面Ｔ１３〜Ｔ１５に沿って屈曲後流路３６に向けてさらによりスムーズに安定してガイドすることができる。
したがって、屈曲リム導水路２６の屈曲前流路３４の各上側領域Ａ３〜Ａ５内に溜まり易い空気について、各ガイド面（テーパ面）Ｇ１，Ｇ２，Ｇ３に沿って流れる洗浄水が、さらにより効率よく攪拌して粉砕させた後、下流側に追い出すことができるため、空気の巻き込みによる異音の発生をさらにより効果的に抑制することもできる。
【００４２】
さらに、本実施形態による水洗大便器１によれば、図６Ａ〜図６Ｃに示すように、屈曲リム導水路２６の屈曲前流路３４の内側面３０の各ガイド面Ｇ１，Ｇ２，Ｇ３のテーパ面Ｔ１３〜Ｔ１５について、その平面視におけるテーパ面Ｔ１３〜Ｔ１５の始端（第１曲面Ｃ１，Ｃ３，Ｃ５の第１終端）Ｐ５，Ｐ９，Ｐ１３から各ガイド終端位置Ｐ１６〜Ｐ１８までの各距離ｄ２〜ｄ４が、テーパ面Ｔ１３〜Ｔ１５が下方から上方に位置する程小さくなる。このため、屈曲リム導水路２６の屈曲前流路３４の各上側領域Ａ３〜Ａ５の洗浄水について、第１曲面Ｃ１，Ｃ３，Ｃ５及びテーパ面Ｔ１３〜Ｔ１５に沿って屈曲後流路３６に向けてさらによりスムーズに安定してガイドすることができる。
したがって、屈曲リム導水路２６の屈曲前流路３４の各上側領域Ａ３〜Ａ５内に溜まり易い空気について、各ガイド面（テーパ面）Ｇ１，Ｇ２，Ｇ３に沿って流れる洗浄水が、さらにより効率よく攪拌して粉砕させた後、下流側に追い出すことができるため、空気の巻き込みによる異音の発生をさらにより効果的に抑制することもできる。
【００４３】
つぎに、図７Ａ〜図８Ｃを参照して、本発明の第２実施形態による水洗大便器１００について説明する。
まず、図７Ａは、本発明の第２実施形態による水洗大便器の便器本体の外側リム導水路内及び屈曲リム導水路内のそれぞれの上側領域の図５Ａと同様な部分拡大平面断面図である。また、図７Ｂは、本発明の第２実施形態による水洗大便器の便器本体の外側リム導水路内及び屈曲リム導水路内のそれぞれの上側領域の図５Ｂと同様な部分拡大平面断面図である。さらに、図７Ｃは、本発明の第２実施形態による水洗大便器の便器本体の外側リム導水路内及び屈曲リム導水路内のそれぞれの上側領域の図５Ｃと同様な部分拡大平面断面図である。
つぎに、図８Ａは、図７ＡのＡ部拡大図である。また、図８Ｂは、図７ＢのＢ部拡大図である。さらに、図８Ｃは、図７ＣのＣ部拡大図である。
ここで、図７Ａ〜図８Ｃに示す本発明の第２実施形態による水洗大便器１００において、図１〜図６Ｃに示す本発明の第１実施形態による水洗大便器１の部分と同一部分については同一の符号を付し、これらの説明については省略する。
すなわち、図７Ａ〜図８Ｃに示すように、本発明の第２実施形態による水洗大便器１００においては、屈曲リム導水路１２６の屈曲前流路１３４の上側領域Ａ３〜Ａ５の内側面１３０の部分が、図５〜図５Ｃに示す上述した本発明の第１実施形態による水洗大便器１の屈曲リム導水路２６の屈曲前流路３４の上側領域Ａ３〜Ａ５の内側面３０の部分と異なっており、その他の部分は、第１実施形態の水洗大便器１と共通している。
よって、以下、本発明の第２実施形態による水洗大便器１００においては、屈曲リム導水路１２６の屈曲前流路１３４の上側領域Ａ３〜Ａ５の内側面１３０のみについて、具体的に説明する。
【００４４】
まず、図７Ａ〜図７Ｃにおいては、本実施形態の水洗大便器１００の外側リム導水路２４及び屈曲リム導水路１２６内のそれぞれの上側領域Ａ３〜Ａ５の流路と下側領域Ａ１の流路との比較のため、図５に示す本実施形態の水洗大便器１の外側リム導水路内２４、屈曲リム導水路内２６のそれぞれの下側領域Ａ１、及び、内側リム導水路２８について鎖線等の想像線で示している。
また、図７Ａ〜図８Ｃにおいては、本実施形態の水洗大便器１００の外側リム導水路２４及び屈曲リム導水路１２６内のそれぞれの上側領域Ａ３〜Ａ５の流路と同一高さ位置における従来の屈曲リム導水路２１２の屈曲前流路２３４やその内側面２３４に関する外形について鎖線等の想像線で示している。
【００４５】
図７Ａ〜図８Ｃに示すように、本実施形態の水洗大便器１００においては、屈曲リム導水路１２６の屈曲前流路１３４の各上側領域Ａ３，Ａ４，Ａ５における内側面１３０の各ガイド面Ｇ１０１，Ｇ１０２，Ｇ１０３は、その大半が平面視で湾曲状の第１曲面Ｃ１０１，Ｃ１０３，Ｃ１０５を形成している。
これにより、図８Ａ〜図８Ｃに示すように、各ガイド面Ｇ１０１，Ｇ１０２，Ｇ１０３は、平面視において、第１曲面Ｃ１０１，Ｃ１０３，Ｃ１０５の第１始端Ｐ１０４，Ｐ１０８，Ｐ１１２（ガイド始端位置）から第１終端Ｐ１０５，Ｐ１０９，Ｐ１１３（ガイド始端位置）まで湾曲状の曲面に沿って洗浄水を下流側へガイド可能になっている。
また、図７Ａ〜図７Ｃに示すように、屈曲前流路３２の上流端位置Ｐ１の流路断面Ｓ２から屈曲前流路１３４の各ガイド始端位置Ｐ１０４，Ｐ１０８，Ｐ１１２の各流路断面Ｓ１０６，Ｓ１０７，Ｓ１０８までの各距離ｄ１０１，ｄ１０２，１０３は、下方から上方に位置する程小さくなるように設定されている（ｄ１０１＞ｄ１０２＞ｄ１０３）。
つぎに、図８Ａ〜図８Ｃに示すように、各ガイド面Ｇ１０１，Ｇ１０２，Ｇ１０３は、平面視において、第１曲面Ｃ１０１，Ｃ１０３，Ｃ１０５の各第１始端（ガイド始端位置）Ｐ１０４，Ｐ１０８，Ｐ１１２から各第１終端（ガイド終端位置）Ｐ１０５，Ｐ１０９，Ｐ１１３までの区間において、最小曲率半径ρ１０３，ρ１０５，ρ１０７をそれぞれ備えている。
【００４６】
つぎに、図８Ａ〜図８Ｃに示すように、屈曲前流路１３４の各上側領域Ａ３，Ａ４，Ａ５においては、内側面１３０の第１曲面Ｃ１０１，Ｃ１０３，Ｃ１０５における各第１接平面Ｔ１０１，Ｔ１０５，Ｔ１０９と各第２接平面Ｔ１０２，Ｔ１０６，Ｔ１１０とが互いに交差する第１交差角度θ１０１，１０２，１０３は、外側面３２の第２曲面Ｃ２，Ｃ４，Ｃ６における各第３接平面Ｔ３，Ｔ７，Ｔ１１と各第４接平面Ｔ４，Ｔ８，Ｔ１２とが互いに交差する第２交差角度φ１，φ２，φ３よりも大きく設定されている（θ１０１＞φ１、θ１０２＞φ２、θ１０３＞φ３）。
さらに、図８Ａ〜図８Ｃに示すように、第１交差角度θ１０１，θ１０２，θ１０３は、屈曲前流路１３４の上側領域Ａ２内の流路が下方から上方に向かう程大きくなるように設定されている（θ１０１＜θ１０２＜θ１０３）。
【００４７】
また、図７Ａ〜図８Ｃに示すように、屈曲リム導水路１２６の屈曲前流路１３４の各上側領域Ａ３，Ａ４，Ａ５における各ガイド面Ｇ１０１，Ｇ１０２，Ｇ１０３を含む内側面１３０は、従来の水洗大便器２００の屈曲リム導水路２１２の屈曲前流路２３４の内側面２３０よりも後方に位置している。その分、図６Ａ〜図６Ｃに示すように、屈曲リム導水路１２６の屈曲前流路１３４の各ガイド面Ｇ１０１，Ｇ１０２，Ｇ１０３の近傍の流路の容積Ｖ１０１が、従来の屈曲リム導水路２１２の屈曲前流路２３４のものよりも拡大されるように設定されている。
【００４８】
上述した本発明の第２実施形態による水洗大便器１００によれば、図８Ａ〜図８Ｃに示すように、屈曲リム導水路１２６の屈曲前流路１３４の上側領域Ａ２（Ａ３〜Ａ５）内の水平断面において、屈曲前流路１３４の内側面１３０の平面視の曲率半径ρ１０３，ρ１０５，ρ１０７が最小となる曲面を含む第１曲面Ｃ１０１，Ｃ１０３，Ｃ１０５における第１接平面Ｔ１０１，Ｔ１０５，Ｔ１０９と第２接平面Ｔ１０２，Ｔ１０６，Ｔ１１０とが互いに交差する平面視の第１交差角度θ１０１，１０２，１０３が、屈曲前流路１３４の外側面３２の平面視の曲率半径ρ２，ρ４，ρ６が最小となる曲面を含む第２曲面Ｃ２，Ｃ４，Ｃ６における第３接平面Ｔ３，Ｔ７，Ｔ１１と第４接平面Ｔ４，Ｔ８，Ｔ１２とが互いに交差する平面視の第２交差角度φ１，φ２，φ３よりも大きい（θ１０１＞φ１、θ１０２＞φ２、θ１０３＞φ３）。
さらに、図８Ａ〜図８Ｃに示すように、第１交差角度θ１０１，θ１０２，θ１０３が、屈曲前流路１３４の上側領域Ａ２内の流路が下方から上方に向かう程大きい（θ１０１＜θ１０２＜θ１０３）。
これらにより、屈曲前流路１３４の各上側領域Ａ３〜Ａ５の横幅や流路断面積が局所的に小さくなることを抑制することができる。
したがって、屈曲リム導水路１２６の屈曲前流路１３４の上側領域Ａ２（Ａ３〜Ａ５）内に流入した洗浄水の一部は、屈曲前流路１３４の下流端付近（折り返し境界断面Ｓ４の直前）の領域を通過する前に、屈曲前流路１３４の外側面３２の外側角部３２ａに一旦衝突した後に上昇する流れを形成する。これにより、屈曲リム導水路１２６の屈曲前流路１３４内の上方に溜まり易い空気は、屈曲前流路１３４内を上昇する洗浄水により、効率良く攪拌される。
よって、図７Ａ〜図８Ｃに示す屈曲リム導水路１２６の屈曲前流路１３４の各上側領域Ａ３〜Ａ５の洗浄水を屈曲後流路３６に向けてスムーズに安定してガイドすることができるため、リム吐水口１６から吐水される洗浄水の飛び散りを効果的に抑制することができる。
また、図７Ａ〜図８Ｃに示す屈曲リム導水路１２６の屈曲前流路１３４の各上側領域Ａ３〜Ａ５内に溜まり易い空気について、洗浄水が効率よく攪拌して粉砕させた後、下流側に追い出すことができるため、空気の巻き込みによる異音の発生を効果的に抑制することもできる。
【００４９】
また、本実施形態による水洗大便器１００によれば、図７Ａ〜図８Ｃに示す屈曲リム導水路１２６の屈曲前流路１３４の内側面１３０の各ガイド面Ｇ１０１，Ｇ１０２，Ｇ１０３が、平面視において第１曲面Ｃ１０１，Ｃ１０３，Ｃ１０５の各第１始端（ガイド始端位置）Ｐ１０４，Ｐ１０８，Ｐ１１２から各第１終端（ガイド終端位置）Ｐ１０５，Ｐ１０９，Ｐ１１３まで洗浄水をガイドする湾曲状の曲面を形成している。
そして、図７Ａ〜図８Ｃに示すように、屈曲リム導水路１２６の屈曲前流路１３４の内側面１３０の各ガイド面Ｇ１０１，Ｇ１０２，Ｇ１０３の湾曲状の第１曲面Ｃ１０１，Ｃ１０３，Ｃ１０５について、屈曲前流路の内側面の平面視の曲率半径ρ１０３，ρ１０５，ρ１０７が最小となる曲面を含む第１曲面Ｃ１０１，Ｃ１０３，Ｃ１０５における第１接平面Ｔ１０１，Ｔ１０５，Ｔ１０９と第２接平面Ｔ１０２，Ｔ１０６，Ｔ１１０とが互いに交差する平面視の第１交差角度θ１０１，θ１０２，θ１０３が、ガイド面Ｇ１０１，Ｇ１０２，Ｇ１０３が下方から上方に位置する程大きくなる。
これらにより、屈曲リム導水路１２６の屈曲前流路１３４の上側領域Ａ３〜Ａ５内の洗浄水について、湾曲状の第１曲面Ｃ１０１，Ｃ１０３，Ｃ１０５に沿って屈曲後流路３６に向けてさらによりスムーズに安定してガイドすることができる。
したがって、屈曲リム導水路１２６の屈曲前流路１３４の上側領域Ａ３〜Ａ５内に溜まり易い空気について、ガイド面Ｇ１０１，Ｇ１０２，Ｇ１０３（湾曲状の第１曲面Ｃ１０１，Ｃ１０３，Ｃ１０５）に沿って流れる洗浄水が、さらにより効率よく攪拌して粉砕させた後、下流側に追い出すことができるため、空気の巻き込みによる異音の発生をさらにより効果的に抑制することもできる。
【符号の説明】
【００５０】
１        本発明の第１実施形態による水洗大便器
２        便器本体
４        ボウル
６        リム
８        汚物受け面
１０        棚
１２        排水トラップ管路（排水路）
１２ａ      排水トラップ管路の入口
１４        リム導水路（リム吐水部）
１４ａ      リム導水路の入口
１６        リム吐水口
１８        導水管（導水路）
２０        通水路
２２        ジェット吐水口
２４        外側リム導水路
２６        屈曲リム導水路
２８        内側リム導水路
３０        屈曲リム導水路の内側面
３０ａ      屈曲リム導水路の内側面の先端部
３２        屈曲リム導水路の外側面
３２ａ      屈曲リム導水路の外側面の外側角部
３２ｂ      屈曲リム導水路の外側面の内側角部
３４        屈曲前流路
３６        屈曲後流路
１００        本発明の第２実施形態による水洗大便器
１２６        屈曲リム導水路
１３０        屈曲リム導水路の内側面
１３４        屈曲前流路
２００        従来の水洗大便器
２０２        便器本体
２０４        ボウル
２０６        リム
２０８        リム導水路
２１０        外側リム導水路
２１２        屈曲リム導水路
２１４        リム吐水口
２１６        内側リム導水路
２３０        屈曲前流路の内側面
２３４        屈曲前流路
Ａ１      外側リム導水路内及び屈曲リム導水路内の下側領域
Ａ２      外側リム導水路内及び屈曲リム導水路内の上側領域
Ａ３      外側リム導水路内及び屈曲リム導水路内の上側領域
Ａ４      外側リム導水路内及び屈曲リム導水路内の上側領域
Ａ５      外側リム導水路内及び屈曲リム導水路内の上側領域
Ｂ        ボウルの後方側領域
Ｃ１      屈曲前流路の上側領域内の内側面の第１曲面
Ｃ２      屈曲前流路の上側領域内の外側面の第２曲面
Ｃ３      屈曲前流路の上側領域内の内側面の第１曲面
Ｃ４      屈曲前流路の上側領域内の外側面の第２曲面
Ｃ５      屈曲前流路の上側領域内の内側面の第１曲面
Ｃ６      屈曲前流路の上側領域内の外側面の第２曲面
Ｃ７      屈曲前流路の上側領域内の内側面の第１曲面
Ｃ８      屈曲前流路の上側領域内の外側面の第２曲面
Ｃ１０１  屈曲前流路の上側領域内の内側面の第１曲面
Ｃ１０３  屈曲前流路の上側領域内の内側面の第１曲面
Ｃ１０５  屈曲前流路の上側領域内の内側面の第１曲面
ｄ１      屈曲リム導水路（屈曲前流路）の上流端流路断面から屈曲前流路のガイド始端位置の流路断面までの距離
ｄ２      屈曲前流路のテーパ面の始端位置から終端位置までの距離（第１曲面の終端からガイド終端位置までの距離）
ｄ３      屈曲前流路のテーパ面の始端位置から終端位置までの距離（第１曲面の終端からガイド終端位置までの距離）
ｄ４      屈曲前流路のテーパ面の始端位置から終端位置までの距離（第１曲面の終端からガイド終端位置まで各距離）
ｄ１０１  屈曲前流路の上流端流路断面から屈曲前流路のガイド始端位置の流路断面までの距離
ｄ１０２  屈曲前流路の上流端流路断面から屈曲前流路のガイド始端位置の流路断面までの距離
ｄ１０３  屈曲前流路の上流端流路断面から屈曲前流路のガイド始端位置の流路断面までの距離
Ｈ１      外側リム導水路の流路断面の最大高さ寸法
Ｈ４      屈曲リム導水路の折り返し境界断面の最大高さ寸法
Ｈ５      内側リム導水路の流路断面及びリム吐水口の最大高さ寸法
Ｆ        ボウルの前方側領域
Ｇ１      ガイド面（テーパ面）
Ｇ２      ガイド面（テーパ面）
Ｇ３      ガイド面（テーパ面）
Ｇ１０１  ガイド面（湾曲状の曲面）
Ｇ１０２  ガイド面（湾曲状の曲面）
Ｇ１０３  ガイド面（湾曲状の曲面）
Ｌ        ボウルの左側領域
Ｏ        ボウルの中心
Ｐ１      外側リム導水路の下流端位置、屈曲リム導水路の上流端位置
Ｐ２      内側リム導水路の上流端位置、屈曲リム導水路の下流端位置
Ｐ３      屈曲リム導水路の下側領域内の内側面の前方側先端位置
Ｐ４      屈曲前流路の上側領域内の内側面の第１曲面の曲面形状の第１始端（ガイド始端位置）
Ｐ５      屈曲前流路の上側領域内の内側面の第１曲面の曲面形状の第１終端、テーパ面の始端位置
Ｐ６      屈曲前流路の上側領域内の外側面の第２曲面の曲面形状の第２始端
Ｐ７      屈曲前流路の上側領域内の外側面の第２曲面の曲面形状の第２終端
Ｐ８      屈曲前流路の上側領域内の内側面の第１曲面の曲面形状の第１始端（ガイド始端位置）
Ｐ９      屈曲前流路の上側領域内の内側面の第１曲面の曲面形状の第１終端、テーパ面の始端位置
Ｐ１０    屈曲前流路の上側領域内の外側面の第２曲面の曲面形状の第２始端
Ｐ１１    屈曲前流路の上側領域内の外側面の第２曲面の曲面形状の第２終端
Ｐ１２    屈曲前流路の上側領域内の内側面の第１曲面の曲面形状の第１始端（ガイド始端位置）
Ｐ１３    屈曲前流路の上側領域内の内側面の第１曲面の曲面形状の第１終端、テーパ面の始端位置
Ｐ１４    屈曲前流路の上側領域内の外側面の第２曲面の曲面形状の第２始端
Ｐ１５    屈曲前流路の上側領域内の外側面の第２曲面の曲面形状の第２終端
Ｐ１６    テーパ面の終端位置（ガイド終端位置）
Ｐ１７    テーパ面の終端位置（ガイド終端位置）
Ｐ１８    テーパ面の終端位置（ガイド終端位置）
Ｐ１０４  屈曲前流路の上側領域内の内側面の第１曲面の曲面形状の第１始端（ガイド始端位置）
Ｐ１０５  屈曲前流路の上側領域内の内側面の第１曲面の曲面形状の第１終端（ガイド終端位置）
Ｐ１０８  屈曲前流路の上側領域内の内側面の第１曲面の曲面形状の第１始端（ガイド始端位置）
Ｐ１０９  屈曲前流路の上側領域内の内側面の第１曲面の曲面形状の第１終端（ガイド終端位置）
Ｐ１１２  屈曲前流路の上側領域内の内側面の第１曲面の曲面形状の第１始端（ガイド始端位置）
Ｐ１１３  屈曲前流路の上側領域内の内側面の第１曲面の曲面形状の第１終端（ガイド終端位置）
Ｒ        ボウルの右側領域
Ｓ１      外側リム導水路の流路断面
Ｓ２      屈曲リム導水路の上流端の流路断面
Ｓ３      屈曲リム導水路の下流端の流路断面
Ｓ４      屈曲リム導水路の折り返し境界断面
Ｓ５      内側リム導水路の流路断面
Ｓ６      屈曲リム導水路のガイド始端位置の流路断面
Ｔ１      第１接平面
Ｔ２      第２接平面
Ｔ３      第３接平面
Ｔ４      第４接平面
Ｔ５      第１接平面
Ｔ６      第２接平面
Ｔ７      第３接平面
Ｔ８      第４接平面
Ｔ９      第１接平面
Ｔ１０    第２接平面
Ｔ１１    第３接平面
Ｔ１２    第４接平面
Ｔ１３    テーパ面
Ｔ１４    テーパ面
Ｔ１５    テーパ面
Ｔ１０１  第１接平面
Ｔ１０２  第２接平面
Ｔ１０５  第１接平面
Ｔ１０６  第２接平面
Ｔ１０９  第１接平面
Ｔ１１０  第２接平面
Ｕ        リム導水路の屈曲形状の領域
Ｖ１      拡大された流路の容積
Ｖ１０１  拡大された流路の容積
Ｘ        ボウルを前後方向に二等分する左右方向に延びる中心軸線
Ｙ        ボウルを水平方向に二等分する前後方向に延びる中心軸線
Ｚ        ボウルの中心を通る鉛直方向の中心軸線
α        ガイド面のテーパ角度
β        ガイド面のテーパ角度
γ        ガイド面のテーパ角度
θ１      第１接平面と第２接平面とが互いに交差する平面視の第１交差角度
θ２      第１接平面と第２接平面とが互いに交差する平面視の第１交差角度
θ３      第１接平面と第２接平面とが互いに交差する平面視の第１交差角度
θ１０１  第１接平面と第２接平面とが互いに交差する平面視の第１交差角度
θ１０２  第１接平面と第２接平面とが互いに交差する平面視の第１交差角度
θ１０３  第１接平面と第２接平面とが互いに交差する平面視の第１交差角度
ρ１      屈曲前流路の外側面の平面視の最小の曲率半径
ρ２      屈曲前流路の内側面の平面視の最小の曲率半径
ρ３      屈曲前流路の上側領域における内側面の平面視の最小曲率半径
ρ４      屈曲前流路の上側領域における外側面の平面視の最小曲率半径
ρ５      屈曲前流路の上側領域における内側面の平面視の最小曲率半径
ρ６      屈曲前流路の上側領域における外側面の平面視の最小曲率半径
ρ７      屈曲前流路の上側領域における内側面の平面視の最小曲率半径
ρ８      屈曲前流路の上側領域における外側面の平面視の最小曲率半径
ρ９      屈曲後流路における外側面の平面視の最小曲率半径
ρ１０    屈曲後流路における内側面の平面視の最小曲率半径
ρ１０１  屈曲前流路の内側面のガイド面の平面視の最小曲率半径
ρ１０２  屈曲前流路の内側面のガイド面の平面視の最小曲率半径
ρ１０３  屈曲前流路の内側面のガイド面の平面視の最小曲率半径
φ１      第３接平面と第４接平面とが互いに交差する平面視の第２交差角度
φ２      第３接平面と第４接平面とが互いに交差する平面視の第２交差角度
φ３      第３接平面と第４接平面とが互いに交差する平面視の第２交差角度
【図１】
2019108767.tif 000003
【図２】
2019108767.tif 000004
【図３】
2019108767.tif 000005
【図４】
2019108767.tif 000006
【図５】
2019108767.tif 000007
【図５Ａ】
2019108767.tif 000008
【図５Ｂ】
2019108767.tif 000009
【図５Ｃ】
2019108767.tif 000010
【図６Ａ】
2019108767.tif 000011
【図６Ｂ】
2019108767.tif 000012
【図６Ｃ】
2019108767.tif 000013
【図７Ａ】
2019108767.tif 000014
【図７Ｂ】
2019108767.tif 000015
【図７Ｃ】
2019108767.tif 000016
【図８Ａ】
2019108767.tif 000017
【図８Ｂ】
2019108767.tif 000018
【図８Ｃ】
2019108767.tif 000019
【図９】
2019108767.tif 000020